(57)【要約】【課題】  屋外の広場等に敷設されるデッキに関し、デッキの敷設後において部分的に特定のデッキ材の取り外しが行なえ、また施工が簡単でかつ経済性にも優れたデッキ材取付構造を提供することを課題とする。【解決手段】  根太材６と、根太材６の上部に固定される台座部４２、及びこの台座部の上部に形成される翼部４４からなる固定具１０と、長尺板材からなり、両側部にはそれぞれ翼部４４の介在が可能な収納凹部３０が形成され、両側部の下部に突出部３６がそれぞれ形成されたデッキ材８とを有し、隣接するデッキ材８間の両収納凹部３０により形成された空間部３１に固定具１０の翼部４４を介在させるとともに、この固定具１０の台座部４２に両側から両デッキ材８の各突出部３６を当接させて配置し、両デッキ材８の隙間５８から工具を差し込んで固定具１０にビス１１を螺設し、この固定具１０とともにデッキ材８を根太材６の上部に固定した構成である。【選択図】  図１
2010150779.tif 000002
【特許請求の範囲】
【請求項１】
所定間隔をおいて並列状に配置された根太材と、
上記根太材の上部に固定される台座部、及びこの台座部の上部に左右向きに形成される翼部からなり、上記台座部を通過して上下に貫通するビス孔が穿設された固定具と、
上記根太材間に並置される長尺板材からなり、両側部にはそれぞれ上記固定具の翼部の介在が可能な収納凹部が形成され、上記両側部の下部には突出部がそれぞれ形成されたデッキ材とを有し、
隣接する上記デッキ材間の両収納凹部により形成された空間部に上記固定具の翼部を介在させるとともに、この固定具の台座部に両側からそれぞれ上記デッキ材の各突出部を当接させて配置し、上記両デッキ材の上部間に形成された隙間から工具を差し込んで上記固定具のビス孔にビスを螺設し、この固定具とともに上記デッキ材を上記根太材の上部に固定したことを特徴とするデッキ材取付構造。
【請求項２】
上記デッキ材の両側部の下端部にそれぞれ角部を切り欠いた切欠凹部を形成し、上記固定具の台座部の下端部近傍と、上記デッキ材の切欠凹部との間に横方向の隙間を設けて上記固定具とともに上記デッキ材を上記根太材に固定したことを特徴とする請求項１記載のデッキ材取付構造。
【請求項３】
上記固定具の翼部の端部と、上記デッキ材の側部に設けた収納凹部の側面との間に横方向の隙間を設けて上記固定具とともに上記デッキ材を上記根太材に固定したことを特徴とする請求項１又は２記載のデッキ材取付構造。
【請求項４】
上記デッキ材として、木粉に合成樹脂を原料とした合成木材を使用し、長尺方向に複数の空洞部を形成したことを特徴とする請求項１、２又は３に記載のデッキ材取付構造。
【発明の詳細な説明】
【技術分野】
【０００１】
本発明は、屋外の広場等に敷設されるデッキにおいて、部分的にデッキ材の取り外し及び交換が行なえるデッキ材取付構造に関する。
【背景技術】
【０００２】
従来、屋外の広場などにデッキを敷設する場合には、長尺側の両側部にそれぞれ溝を設けた長尺板状のデッキ材を並べて根太材上に架設し、これら根太材の端から順に各デッキ材の側部を固定金具で固定しデッキ全体を仕上げていた。しかし、この取付構造によるデッキでは、中央部付近で特定のデッキ材に破損があった場合、これを交換するときには、根太材の端からそのデッキ材に至るまでの全てのデッキ材を取り外し、そして上記破損したデッキ材を取り外して新しいものと交換するという作業が必要であった。
【０００３】
これに対して、部分的に特定のデッキ材のみを取り外すことができるデッキ構造が提案されている。例えば、特許文献１に開示されたウッドデッキの施工方法は、図９（ａ）（ｂ）に示すように底面７０の幅が上面７２より短いデッキ部材７３を使用し、このデッキ部材７３の側面の長手方向に向けられたスリット部に、長手方向と垂直になるように図９（ｃ）に示す固定具７４のつば部７５を配置し、ビス７６で固定具７４を固定し、デッキ部材７３を根太材７８に固定する。
そしてこの状態から、ビスを緩めて固定具７４のつば部７５を９０度回転させると、固定具７４のつば部７５の短手方向の幅が隣り合うデッキ部材の底面７０の幅（Ｗ２）より短いため、デッキ部材７３を係止固定するものがなく必要なデッキ部材のみを自由に取り外すことができるというものである。
【０００４】
また、特許文献２に記載の床材の固定装置は、根太に固定されたデッキ材の内、中間位置に配置した特定のデッキ材を固定する固定具のネジを外せばこのデッキ材を引き上げることができ、デッキ材の配置位置に依らず、特定のデッキ材を効率よく自在に取り外すことができるというものである。
【０００５】
また、特許文献３に記載のウッドデッキの施工方法は、根太材の上面に複数のデッキ材をまとめて配置させ、この後、根太材のＣ形チャンネル部にナット部材を収容した固定具によりデッキ材を固定することができ、このため部分的なデッキ材の破損等があった場合には、該当するデッキ材のみを交換できるというものである。
【０００６】
【特許文献１】特開２００８−７５３４８
【特許文献２】特開２００３−３１４０３８
【特許文献３】特開２００６−２０７３６３
【発明の開示】
【発明が解決しようとする課題】
【０００７】
さて、上記特許文献１のウッドデッキの施工方法は、つば部を９０度回転させることで係止解除を行う構造であるから係止状態の安定性、確実性化に欠けるという問題がある。また、特許文献２の床材の固定装置は、デッキ材を板状の固定具で固定する構造であるため、デッキ材同士の間隔等の位置決めがしづらく、また特許文献３の施工方法は、Ｃ形チャンネル部を設けた特殊な形状の根太材を用いる必要があり加工性、及び施工性に劣るという問題がある。
【０００８】
本発明は上記問題点を解決するためになされたものであり、デッキの敷設後において部分的に特定のデッキ材の取り外しが行なえ、また施工が簡単でかつ経済性にも優れたデッキ材取付構造を提供することを目的とする。
【課題を解決するための手段】
【０００９】
以上の技術的課題を解決するため、本発明に係るデッキ材取付構造は、図１に示すように、所定間隔をおいて並列状に配置された根太材６と、上記根太材６の上部に固定される台座部４２、及びこの台座部の上部に左右向きに形成される翼部４４からなり、上記台座部４２を通過して上下に貫通するビス孔４９が穿設された固定具１０と、上記根太材６間に並置される長尺板材からなり、両側部にはそれぞれ上記固定具の翼部４４の介在が可能な収納凹部３０が形成され、上記両側部の下部には突出部３６がそれぞれ形成されたデッキ材８とを有し、隣接する上記デッキ材８間の両収納凹部３０により形成された空間部３１に上記固定具１０の翼部４４を介在させるとともに、この固定具１０の台座部４２に両側からそれぞれ上記デッキ材８の各突出部３６を当接させて配置し、上記両デッキ材８の上部間に形成された隙間５８から工具を差し込んで上記固定具１０のビス孔４９にビス１１を螺設し、この固定具１０とともに上記デッキ材８を上記根太材６の上部に固定した構成である。
【００１０】
本発明に係るデッキ材取付構造は、上記デッキ材８の両側部の下端部にそれぞれ角部を切り欠いた切欠凹部２６を形成し、上記固定具１０の台座部４２の下端部近傍と、上記デッキ材８の切欠凹部２６との間に横方向の隙間５４を設けて上記固定具とともに上記デッキ材を上記根太材に固定した構成である。
【００１１】
本発明に係るデッキ材取付構造は、上記固定具１０の翼部４４（４５）の端部と、上記デッキ材の側部に設けた収納凹部３０の側面との間に横方向の隙間５６を設けて上記固定具とともに上記デッキ材を上記根太材に固定した構成である。
【００１２】
本発明に係るデッキ材取付構造は、上記デッキ材８として、木粉に合成樹脂を原料とした合成木材を使用し、長尺方向に複数の空洞部３８，３９，４０を形成した構成である。
【発明の効果】
【００１３】
本発明に係るデッキ材取付構造によれば、隣接するデッキ材間の両収納凹部により形成された空間部に固定具の翼部を介在させるとともに、この固定具の台座部に両側からそれぞれデッキ材の各突出部を当接させて配置し、両デッキ材の上部間に形成された隙間から工具を差し込んで固定具のビス孔にビスを螺設し、この固定具とともにデッキ材を根太材の上部に固定した構成としたから、任意の箇所のデッキ材を固定する固定具のビスを緩めるのみで簡単にその特定のデッキを脱着することができ、破損等によるデッキ材の交換作業が簡単かつ迅速に行え、また構造も簡単であり施工性及び経済性にも優れるという効果を奏する。
【００１４】
本発明に係るデッキ材取付構造によれば、デッキ材の下端部に切欠凹部２６を形成し、固定具の台座部の下端部近傍と、デッキ材の切欠凹部との間に横方向の隙間５４を設けてデッキ材を固定した構成としたから、デッキ材を回動させつつ取り外して交換する際に、上記デッキ材８を傾けたときにデッキ材の下端部（切欠凹部２６の部位）が根太材の上面部に当たらないため、デッキ材の回動が容易に行え、また上記隙間５４によりデッキ材の下端部と台座部の下端部近傍が当たらないため、デッキ材と固定具との係合が容易に解除されて作業が楽に行えるという効果がある。
【００１５】
本発明に係るデッキ材取付構造によれば、固定具の翼部４５の端部と、デッキ材の収納凹部３０の側面との間に横方向の隙間５６を設けてデッキ材を固定した構成としたから、特定のデッキ材を取り外す際、上記隙間５６により固定具の翼部４５の端がデッキ材の収納凹部３０の側面に当たらないため、デッキ材と固定具との係合が容易に解除されて作業が楽に行えるという効果がある。
【００１６】
本発明に係るデッキ材取付構造によれば、デッキ材として、木粉に合成樹脂を原料とした合成木材を使用し、長尺方向に複数の空洞部を形成した構成としたから、デッキ材の加工が容易に行なえ、耐候性にも優れるという効果がある。
【発明を実施するための最良の形態】
【００１７】
以下、本発明に係るデッキ材取付構造の実施の形態を図面に基づいて説明する。
図１は、上記デッキ材取付構造を示したものである。このデッキ材取付構造は、スラブ面２上に配置される支持脚４、この支持脚に支持される根太材６、根太材６の上部に敷設されるデッキ材８、及びこのデッキ材８を根太材の上部に固定する固定具１０を有する。
【００１８】
上記支持脚４は、下部近傍に座金１２が螺着された鋼製の支持ボルト１４、この支持ボルト１４の上部に螺着され高さ調整可能な鋼製円板状の受け具１６及びこの受け具１６の上部に設けられる防振ゴム２０等を有する。上記受け具１６には、中央の孔部の下部にナット１８が固定されており、この受け具１６を支持ボルト１４に螺合する。この受け具１６の上部に、根太材６をフランジ部２４の上面からビスにて固定する。上記根太材６は、上面部２２、側面部２３，２３及びフランジ部２４，２４を有する断面ハット形の鋼製の長尺材である。
【００１９】
上記デッキ材８は図２に示すように、根太材６間に架設される長尺板材からなり、長尺側の両側部の下端部にはそれぞれ角部を凹状に切り欠いた切欠凹部２６が形成され、また両側部の上端部にはそれぞれ角部を斜面状に削った面取部２８が形成されている。
【００２０】
また上記デッキ材８の長尺側の両側部の中央部には、各側部の厚さの半分以上にわたって凹状に窪んだ収納凹部３０が形成されている。この収納凹部３０は、上面部３２、側面部３３及び下面部３４からなり、これらの面は平坦であり各面部同士による隅部は丸みをもっている。
デッキ材８の側部に形成される上記収納凹部３０と関連して、この側部の下部には突出部３６が、また上部には第二の突出部３７がそれぞれ形成されている。
【００２１】
また、このデッキ材８には長尺方向に６箇所の空洞部が形成されている。これら空洞部としては、デッキ材８の横断面の中央部の左右に横長矩形状の空洞部３８，３８が、これらの外側寄りに縦長矩形状の空洞部３９，３９が、また左右の端部近傍には横長矩形状の空洞部４０，４０がそれぞれ形成されている。これら空洞部は、デッキ材８の軽量化及び省資源化を図るものである。
【００２２】
また、上記デッキ材８の横断面は左右対称な形状としている。このため、デッキ材８は左右の区別がなく、例えば作業現場において必要に応じて適宜左右の側面を逆にして使用することができる。
【００２３】
上記デッキ材８は加工性及び耐候性を考慮して人口木材（再生木）を使用しているが、他に天然木材を使用することもできる。上記人口木材は、木粉、顔料にポリエチレン樹脂（又はポリプロピレン樹脂）などの合成樹脂を混ぜて板状に加工したものであり、耐久性に優れ素足歩行にも馴染む材料である。上記天然木材は、マニルカラ、ジャラ、イペ、セランガンバツ等の硬質木材が適しており、屋外での長期使用に耐える。
【００２４】
上記固定具１０は、アルミニウム合金の押し出し成形品を切断して使用するものであり、他にステンレス材等の金属或いは合成樹脂材が用いられる。この固定具１０は図３に示すように、根太材６の上部に固定される台座部４２、この台座部４２の上部から左右側に横向きに形成される翼部４４、この翼部４４の一方側（図中左側）の端部から縦向きに屈曲して立設形成される押え翼部４６を有している。上記翼部４４の他方側（図中右側）は、端部が少し上方に屈曲した片状の翼部４５が形成された形状である。また、上記翼部４４は、台座部４２の中央部から（横向きに）上記翼部４５の端部までの長さが、上記押え翼部４６の端部までの長さに比べて短く形成されている。また上記翼部４４の下面部には、複数の小突起４７が形成されている。
【００２５】
上記固定具１０の台座部４２は、中央に立設する基部４８、この基部４８の下端部の一方側（図中左側）に形成される第一の突片５０、他方側（図中右側）形成される第二の突片５１からなり、この第二の突片５１は上記第一の突片５０より突出の程度が短く形成されている。
このため固定具１０には、台座部４２の第一の突片５０、基部４８及び翼部４４によって保持凹部５２が形成され、また台座部４２の第二の突片５１、基部４８及び翼部４４（４５）との間に保持凹部５３が形成された形状である。また、台座部４２の中央部には、翼部４４を貫いて上下に貫通するビス孔４９が所定の間隔をおいて２箇所穿設されている。ここで用いるビス１１は、セルフドリリング可能なものであり根太材６に自ら孔を穿設しながら螺入する。
【００２６】
ここで、図１に示すデッキ材の取付構造に係るデッキを、屋外の広場、庭等に敷設する場合の取付方法について説明する。先ず、コンクリートなどのスラブ面２の所定位置に、工具を用いて上記支持脚４を立設するための穴をあける。そして上記各穴内に、支持脚４の支持ボルト１４を埋設し、座金１２をスラブ面２の位置に調節して支持ボルト１４を固定する。また、支持脚４のナット１８などを操作して受け具１６の高さ調整を行なう。
【００２７】
上記支持脚４を立設後は、各支持脚４間に根太材６を架設し、支持脚４の受け具１６の上部に設けられた防振ゴム２０の上部に、上記根太材６のフランジ部２４，２４を載置する。そして、根太材６のフランジ部２４，２４をビス１１などの止着具を用いて受け具１６に固定する。各根太材６は、所定の間隔をおいて互いに平行に配置する。
次に、上記デッキ材８を上記配置した根太材６の上部にこれと直交する方向に配置する。そして、図４に示すように上記固定具１０を用いてデッキ材８を根太材６に固定する。
【００２８】
図５は、固定具１０を用いて、デッキ材８を固定した状態を示したものである。このように固定具１０の両側からデッキ材８を押し付け、固定具１０の一方側の保持凹部５２に、デッキ材８の一方の側部の突出部３６を嵌め込む一方、他方側の保持凹部５３に他のデッキ材８の側部の突出部３６を嵌め込む。これにより、両突出部３６が固定具１０の基部４８に当接するとともに、各保持凹部５２，５３に両突出部３６がそれぞれ保持されてデッキ材８の上下移動が阻止され、また反対側の側部に配置される固定具１０とともにデッキ材８の左右移動が阻止される。両デッキ材８同士の収納凹部３０，３０により形成される空間部３１には、固定具１０の翼部４４を収納する。この固定具１０の押え翼部４６は、デッキ材８の収納凹部３０の側面部３３を押えてデッキ材８の移動及び変動を阻止する。
【００２９】
また隣接する両デッキ材８間には、上部の第二の突出部３７，３７同士の間に隙間５８が形成され、また下部の突出部３６，３６同士の間にも同じ幅の隙間５９が形成される。上記隙間５８，５９の幅は、何れも固定具１０の基部４８の幅（ここでは６ｍｍ）に相当する間隔である。このように、固定具１０の台座部４２の基部４８（横幅）により、デッキ材８同士の間に一定幅の隙間５８，５９を形成することができる。
【００３０】
そして、両デッキ材８同士の収納凹部３０，３０により形成される空間部３１及び上記隙間５９に、固定具１０およびビス１１を介在させた状態で、デッキ材８間の上部の隙間５８から回転工具（ドライバーなど）を差し込み、ビス１１を根太材６の上面部２２にねじ込み固定具１０を固定する。これにより両デッキ材８は、各突出部３６が固定具１０の各保持凹部５２，５３に保持され、かつこの状態で両突出部３６，３６が固定具１０の翼部４４により押圧固定される。こうして、デッキ材８は固定具１０とともに根太材６に固定される。
【００３１】
このとき図５に示すように、デッキ材８の下端部に設けた切欠凹部２６に固定具１０の第二の突片５１が少し嵌入した状態であるが、両者間には隙間５４が形成されている。また、固定具１０の片状の翼部４５の端部とデッキ材８の収納凹部３０の側面部３３との間にも隙間５６が形成されている。
上記デッキ材８を回動して脱着する際、デッキ材８の下端部が上記切欠凹部２６により角がとれているため、デッキ材８の下端部が根太材６の上面部２２に突き当たることがないため、回動が容易に行なえる。
上記隙間５４は、デッキ材８の脱着の際に、デッキ材８と固定具１０の当該箇所同士が当たらないようにしてデッキ材８の回動を容易するものである。上記隙間５６についても、デッキ材８を回動して外すときに、当該箇所同士が当たらないようにして、デッキ材８の取り外しを容易にする。
【００３２】
上記デッキ材８の敷設においては、固定具１０へのビス１１の螺設はデッキ材８同士の隙間５８を利用して行えるため、デッキ材８は根太材６上の任意の箇所から敷設を開始することができる。また、根太材６上に複数のデッキ材８をまとめて並置し、各デッキ材８同士の収納凹部３０，３０により形成される空間部３１に固定具１０を介在させておき、各デッキ材８同士を近接（移動不可能な状態に）させた状態で、デッキ材８同士の隙間５８から工具を差し込んで次々とビス１１を螺設し、固定具１０とともにデッキ材８を固定するようにしてもよい。
【００３３】
並設した根太材６の特定箇所から順にデッキ材８を敷設する場合、先ず端部に一列に固定具１０を取り付けてデッキ材８を保持させ、これと他のデッキ材８間に固定具１０及びビス１１を介在させ、デッキ材８の突出部３６をこの固定具１０の一方の保持凹部５２（５３）に嵌めて保持させる。そして他のデッキ材８をこの固定具１０の反対側から押し付けて、その突出部３６を固定具１０の他方の保持凹部５３（５２）に嵌めて保持させ、両デッキ材８間の上部の隙間５８から回転工具を差し込み、ビス１１を固定具１０のビス孔４９にねじ込み、固定具１０とともにデッキ材８を根太材６の上面部２２に固定する。なお、ビス１１は回転工具の操作時に隙間５８から嵌め入れてもよい。
【００３４】
同様にして、固定具１０を用いて順次デッキ材８を根太材６の上部に固定する。これにより、各デッキ材８は突出部３６が固定具１０によって保持されかつ押圧固定され、また各デッキ材８間には上記隙間５８，５９が形成され、また各デッキ材８と固定具１０との間には上記隙間５４及び隙間５６が形成される。
【００３５】
デッキ材８の長尺方向に他のデッキ材８を接続する場合は、根太材６の上部に両デッキ材８の端部が位置するように配置する。これにより、これらデッキ材８同士を跨いで上記固定具１０を介在させることができ、両デッキ材８の端部を同時に固定することができる。以降も、上記と同様な方法によりデッキ全体の敷設を行なう。
【００３６】
さて、上記デッキの使用中に、一部のデッキ材８に破損が生じ或いはコイン等の落下物が発生して、デッキ材８を取り外す必要が生じた場合のデッキ材８の脱着及び交換方法について説明する。
この場合には図６（ａ）に示すように、脱着予定のデッキ材８と、これと隣接する他のデッキ材８との間の隙間５８から回転工具を差し込み、固定具１０を螺設されたビス１１を緩めて固定具１０による固定を解除する。同じデッキ材８の他の箇所の固定具１０についても同様にしてビス１１を緩める。
【００３７】
そして、図６（ｂ）（ｃ）に示すように、上記ビス１１を緩めた部位の両デッキ材８の側部を固定具１０とともに共に（（１）（２）に示すように）持ち上げてそれぞれのデッキ材８を回動させ、両デッキ材８間の隙間を開いて何れか（又は両方）のデッキ材８を外す。このとき、デッキ材８の下端部が切欠凹部２６により角がとれているため、デッキ材８の下端部が根太材６の上面部２２に突き当たることがない。
【００３８】
またデッキ材８と固定具１０との間に隙間５４が設けられているため、上記共に持ち上げたデッキ材８と固定具１０との端部同士（固定具１０の第二の突片５１とデッキ材８の下端部の切欠凹部２６の近傍）が当たらず、デッキ材８と固定具１０との係合が容易に解除され、デッキ材８が楽に回動するので取外しが容易に行なえる。
また、固定具１０の翼部４５の端部とデッキ材８の収納凹部３０の側面部３３との間に設けた隙間５６により、デッキ材８が回動するときに固定具１０の翼部４５の端部とデッキ材の側面部３３とが当たらないため、この点でもデッキ材８がらくに回動できて取り外しが容易である。
【００３９】
次に、図７（ａ）（ｂ）に示すように、上記デッキ材８を取り外した箇所に新しいデッキ材８を配置し、このデッキ材８と他の（片側部が固定されてない）デッキ材８との間に、固定具１０及びビス１１を介在させる。そして図７（ｂ）（ｃ）に示すように、両デッキ材８同士が突合する箇所を共に（（１）（２）に示すように）少し持ち上げて各デッキ材８を傾斜させた状態とし、一方のデッキ材８の突出部３６を固定具１０の保持凹部５２（５３）に嵌めつつ、両デッキ材８を回動させて根太材６の位置まで下げる。
この新しいデッキ材８を取り付ける際にも、上記脱着のときと同様に、切欠凹部２６、隙間５６，５８によりデッキ材８の回動が容易に行える。
【００４０】
この状態で、固定具１０の一方の保持凹部５２には新しいデッキ材８の突出部３６が嵌合し、固定具１０の他方の保持凹部５３には他のデッキ材８の突出部３６が嵌合し、各部材同士は互いに密着する。そして、両デッキ材８間の上部の隙間５８から回転工具を差し込みビス１１を螺設し、新しいデッキ材８を固定する。
【００４１】
図５及び図８は、上記デッキにおけるデッキ材８間の空間部３１（目地部）に、落下防止板６０を配設する場合について示したものである。上記デッキは、デッキ材８間の隙間５８，５９により、雨水がスラブ面２に排水されるが、これら隙間５８，５９によりコイン或いはごみ等がスラブ面２に落下するおそれがある。上記落下防止板６０は、デッキ材８間の下部側の隙間５９を塞いでコイン等の落下を防止する。
【００４２】
上記落下防止板６０は、長尺板状材であり、横断面の両端部が上方に屈曲形成されている。このため落下防止板６０は、雨水の流路としても機能する。また横断面の中央部には長手方向に一定間隔をおいて孔部６２が形成されている。
この落下防止板６０は、デッキ材８同士の隙間５８から上記空間部３１に嵌め入れる。そして、図８（ａ）に示すように、落下防止板６０をデッキ材８同士の空間部３１内の固定具１０の上部に落とし込んだ後、図８（ｂ）のように、先に設置した落下防止板６０の近くの所定の位置までスライドさせる。このとき、上記落下防止板６０に設けた孔部６２は、ここから各固定具１０のビス１１の頭部が突き出る位置に配置する。また、各落下防止板６０間は、雨水等の排水のため少し間隔を開けて配置し、デッキ材８間の隙間５９から排水を行なう。
【００４３】
したがって、上記実施の形態によれば、任意の箇所のデッキ材につき、このデッキ材を固定する固定具のビスを緩めるのみで簡単にその特定のデッキ材のみを脱着することができるため、破損したデッキ材の交換作業が簡単かつ迅速に行え、また構造も簡単であり施工性及び経済性にも優れ、またデッキ材を取り外す際にデッキ材と固定具との係合が容易に解放されて作業が楽に行えるという効果がある。また、固定具とデッキ材との間に隙間を設けたから、デッキ材を取り外す際にデッキ材と固定具との係合が容易に解除されて作業が楽に行えるという効果がある。
【図面の簡単な説明】
【００４４】
【図１】本発明の実施の形態に係るデッキ材取付構造を示す図である。
【図２】実施の形態に係るデッキ材の斜視図である。
【図３】実施の形態に係り、（ａ）は固定具を示す図であり、（ｂ）はＡ−Ａ断面を示す図、（ｃ）はＢ−Ｂ断面を示す図である。
【図４】実施の形態に係るデッキ材と固定具との取付状態を示す分解図である。
【図５】実施の形態に係るデッキ材と固定具との取付構造を示す図である。
【図６】実施の形態に係り、一部のデッキ材を脱着する状態を示す図（ａ）（ｂ）（ｃ）である。
【図７】実施の形態に係り、一部のデッキ材を新しく取り付ける状態を示す図（ａ）（ｂ）（ｃ）である。
【図８】実施の形態に係り、デッキ同士間に落下防止板を配置する状態を示す図（ａ）（ｂ）である。
【図９】従来例に係るデッキ構造を示す図（ａ）（ｂ）（ｃ）である。
【符号の説明】
【００４５】
４  支持脚
６  根太材
８  デッキ材
１０  固定具
１１  ビス
２６  切欠凹部
３０  収納凹部
３１  空間部
３６  突出部
３８，３９，４０  空洞部
４２  台座部
４４，４５  翼部
４９  ビス孔
５４，５６，５８  隙間
【図１】
2010150779.tif 000003
【図２】
2010150779.tif 000004
【図３】
2010150779.tif 000005
【図４】
2010150779.tif 000006
【図５】
2010150779.tif 000007
【図６】
2010150779.tif 000008
【図７】
2010150779.tif 000009
【図８】
2010150779.tif 000010
【図９】
2010150779.tif 000011